(57)【特許請求の範囲】
【請求項１】
樹脂製の雄グロメットと樹脂製の雌グロメットとから構成され、前記雌グロメットは、マットに設けられた穴に挿入される、両端が開口した外筒部と、該外筒部の一端の外周に形成されて前記マットの一方の面に接するフランジとを有し、前記雄グロメットは、前記外筒部に挿入される、両端が開口した内筒部と、該内筒部の他端の外周に形成されて前記マットの他方の面に接するフランジとを有し、前記外筒部と前記内筒部とには、雄グロメットと雌グロメットとを相互に連結するための、係止手段が設けられ、前記マット穴の周縁の一方の面に一方のフランジを他方の面に他方のフランジを当接させることによってマットに挟着されるマット用固定具において、
前記雄グロメットのフランジと前記雌グロメットのフランジは、円板形状に形成され且つ一方のフランジが他方のフランジより大径に形成されており、前記一方のフランジ及び前記他方のフランジのそれぞれの外縁部は、前記係止手段によって雄グロメットと雌グロメットを相互に連結した状態で前記マットの面に食い込むように、断面において前記マット側に向けて曲げて形成してあり、前記一方のフランジの外縁部は、前記他方のフランジの食い込み位置より半径方向外側の位置において前記他方のフランジの側に向けて前記マットに食い込み、前記他方のフランジの外縁部は、前記一方のフランジの食い込み位置より半径方向内側の位置において前記一方のフランジの側に向けて前記マットに食い込む
ことを特徴とするマット用固定具。
【請求項２】
請求項１に記載のマット用固定具において、前記一方のフランジは前記雌グロメットのフランジであり、前記他方のフランジは前記雄グロメットのフランジであり、前記マットは上部のカーペット層と下部のゴム状ベース層とから成り、前記雄グロメットのフランジは前記カーペット層側に配置され、前記雌グロメットのフランジは前記ベース層側に配置されることを特徴とするマット用固定具。
【請求項３】
請求項１に記載のマット固定具において、前記一方のフランジの外縁部には、前記マットに食い込むように突出する突起が、前記外縁部の周方向に間隔をおいて形成されていることを特徴とするマット用固定具。
【請求項４】
請求項３に記載のマット用固定具において、前記一方のフランジには前記他方のフランジに対向する面に、前記突起より半径方向内側の位置で前記マットに食い込むように突出するピンが周方向に間隔をおいて形成されていることを特徴とするマット用固定具。
【請求項５】
請求項１〜４のいずれか１項に記載のマット用固定具において、前記他方のフランジに、前記マットに食い込むピンが設けられており、前記外筒部と前記内筒部との相対的回転を阻止することを特徴とするマット用固定具。
【請求項６】
請求項１〜５のいずれか１項に記載のマット用固定具において、雌グロメット及び雄グロメットは、それぞれ、弾性係数が低く且つ塑性変形し易い樹脂材料で一体成形されていることを特徴とするマット用固定具。
【発明の詳細な説明】
【０００１】
【産業上の利用分野】
本発明は、例えば、自動車等のフロアマットに開けたずれ止め用の穴が綻びてしまうのを防いでマット穴を補強するのに適した、マット用固定具に関する。
【０００２】
【従来の技術】
自動車のフロアマットに設けられたずれ止め用の取付穴がほころびてしまうのを防いでその穴を補強するための、よく知られたマット用固定具は、金属製のグロメット(ハトメ)形状のものである。ところが、マットをリサイクルするには、その金属製ハトメ形状の固定具を事前に除去することが必要になる。これは、マットをシュレッダー等で裁断するときシュレッダーの刃を破損するからである。しかし、金属製ハトメ形状の固定具を事前に除去することは面倒である。そこで、グロメットを樹脂材料にすれば、マットに取付けたままで、マットをシュレッダーで裁断できる利点がある。
【０００３】
【発明が解決しようとする課題】
特開２０００−２２７１０７号公報には、ポリプロピレン（ＰＰ）等のダイオキシンの発生のない材料で形成するマット用固定具が開示されている。一般に、自動車用マット材料は、オレフィン系の毛糸で成る上側のカーペット層と下側のゴム状のベース層とから成る。同じオレフィン系であるポリプロピレン（ＰＰ）でマット用固定具が作られる場合、シュレッダー裁断したダストは分別せずにリサイクルできる利点もある。ところが、ポリプロピレンは、多くの樹脂材料の中でも、弾性係数が低く、塑性変形し易いので、マットへの保持力が低いという不利な点がある。上記公報に記載のマット用固定具においても、マットへの取付け強度の点で改良の余地がある。上記公報の他にも、特開昭５５−１５５６０２号公報、実開昭５８−９１９９１号公報、実開平７−３３７３７号公報、及び特開平１１−２３０１３４号公報には、マット又はカーペット用固定具として用いることのできる固定具が開示されている。これらの固定具においては、先のリサイクルへの配慮はなにもなく、しかも、マット又はカーペットの両面を挟着する力を強化する点においても、改良の余地がある。
【０００４】
従って、本発明の目的は、ポリプロピレン等の弾性係数が低く且つ塑性変形し易い樹脂材料で作られていても、マットへの保持力を強化したマット用固定具を提供することにある。
【０００５】
【課題を解決するための手段】
かかる目的を達成するため、本発明によれば、樹脂製の雄グロメットと樹脂製の雌グロメットとから構成され、雌グロメットは、マットに設けられた穴に挿入される両端が開口した外筒部と、該外筒部の一端の外周に形成されてマットの一方の面に接するフランジとを有し、雄グロメットは、外筒部に挿入される両端が開口した内筒部と、該内筒部の他端の外周に形成されてマットの他方の面に接するフランジとを有し、外筒部と内筒部とには、雄グロメットと雌グロメットとを相互に連結するための、係止手段が設けられ、マット穴の周縁の一方の面に一方のフランジを他方の面に他方のフランジを当接させることによってマットに挟着されるマット用固定具であって、雄グロメットのフランジと雌グロメットのフランジは、円板形状に形成され且つ一方のフランジが他方のフランジより大径に形成されており、一方のフランジ及び他方のフランジのそれぞれの外縁部は、係止手段によって雄グロメットと雌グロメットを相互に連結した状態でマットの面に食い込むように、断面においてマット側に向けて曲げて形成してあり、一方のフランジの外縁部は、他方のフランジの食い込み位置より半径方向外側の位置において他方のフランジの側に向けてマットに食い込み、他方のフランジの外縁部は、一方のフランジの食い込み位置より半径方向内側の位置において一方のフランジの側に向けて前記マットに食い込むことを特徴とするマット用固定具が提供される。かかる構成によって、雄グロメットフランジと雌グロメットフランジとでマットを挟着した場合、小径のフランジの縁部がマットの一方の面に食い込み、大径のフランジが前記小径フランジの食い込む位置よりも半径方向外側の位置においてマットの他方の面すなわち反対面に食い込むので、その挟着力は強く、マットへの保持力は高い。従って、マット用固定具が、ポリプロピレン等の弾性係数が低く且つ塑性変形し易い樹脂材料で作られていても、マットへの保持力を高く維持することができる。
【０００６】
上記マット用固定具において、雌グロメットのフランジが、雄グロメットの円板形状のフランジより大径の円板に形成されて、雄グロメットフランジの外縁部は、雌グロメットフランジの側に向けてマットに食い込むように湾曲して形成され、雌グロメットフランジの縁部は、雄グロメットフランジの食い込み位置より半径方向外側の位置においてマットの反対側から雄グロメットフランジの側に向けてマットに食い込むように湾曲して形成されているのが好ましく、これによってマットへの保持力が向上するとともに、各フランジが円板ドーム形状に形成されてフランジ自体も弾性を維持しつその強度も向上する。
また、そのマット用固定具において、マットは上部のカーペット層と下部のゴム状ベース層とから成り、雄グロメットはカーペット層側に、雌グロメットはベース層側に配置されるようにすることができる。
更に、雌グロメットフランジの外縁部には、ベース層に突出するように、外縁部の周方向に間隔をおいて突起が形成されているのが好ましい。これによって、更に保持力を高くすることができる。
上記マット用固定具において、雌グロメットフランジまたは雄グロメットフランジには、マットに食い込むピンが設けられており、外筒部と内筒部との相対的回転を阻止するのが好ましい。
【０００７】
【発明の実施の形態】
以下、本発明の実施例について、図面を参照しながら説明する。本発明に係るマット用固定具は、図１〜図４に示す、合成樹脂製の雄グロメット１と、図５〜図８に示す、合成樹脂製の雌グロメット２とから構成される。図９は、雄グロメット１と雌グロメット２とから成るマット用固定具３が、マット５のずれ止め用の取付穴６を補強するように取付けられている様子が示されている。図９において、雄グロメット１はマット５のおもて面に、雌グロメット２はマットの裏面に配置されて、マットを挟着するように示されているが、両グロメットの配置は逆であってもよいことは勿論である。実施例においては、図示のように、雄グロメット１はマット５のおもて面に、雌グロメット２はマットの裏面に配置されるものとして説明する。図１０及び図１１は、異なる厚さのマットに固定具を取付けた様子を示している。このマットは、例えば自動車のフロアに、そこに固着されたピン等をマット用固定具に挿入あるいは嵌合することによって、固定される。以下、雄グロメット１及び雌グロメット２のそれぞれの詳細を説明する。
【０００８】
図１〜図４において、雄グロメット１は、弾性係数が低く且つ塑性変形し易い樹脂材料、例えば、ポリプロピレンで一体成形されることができる。雄グロメット１は、雌グロメットの外筒部に挿入される内側の筒としての、両端が開口した内筒部７と、内筒部７の一端の外周に形成されてマットの一方の面に接するフランジ９とを有する。内筒部７の軸線方向の長さは、マット５の厚さ程度に短くされる。内筒部７の外周面には、雄グロメットと雌グロメットとを相互に連結するため、係止手段としての複数段（実施例では３段）の溝１０が設けられている。この溝１０の形状は、挿入は容易であるが抜き出しは抵抗する形状になっている。内筒部７は中空に形成され、その穴８の内径は、例えば自動車フロアのピンが挿入できる大きさにされる。フランジ９は、マットのずれ止め用の取付穴の周縁の一方の面に当接する一定の大きさの円板に形成されている。フランジ９の外縁部１１は、雄グロメット１と雌グロメット２を相互に連結した状態でマット面に食い込むように、マット側に向けて曲げて形成されている。この曲げによってフランジ９はドーム形状に湾曲して、たとえポリプロピレン等の弾性係数が低く塑性変形し易い材料であってもフランジ９の弾性を維持しつつ、その強度を高く維持できる。フランジ９のマットに当接する面には、マットに食い込むピン１３が複数（実施例では直径方向に２個）設けられており、雄グロメット１の回転を阻止する。
【０００９】
図５〜図８において、雌グロメット２は、弾性係数が低く且つ塑性変形し易い樹脂材料、例えば、ポリプロピレンで一体成形されることができる。雌グロメット２は、マット５のずれ止め用の取付穴６に挿入されるとともに、雄グロメット１の内筒部７を受入れるように中空に形成されて外側の筒となる、両端が開口した外筒部１４と、外筒部の一端の外周に形成されてマットの他方の面に接するフランジ１５とを有する。外筒部１４の軸線方向長さは、雄グロメット１の内筒部７を安定して受入れできれば短いのが好ましい。外筒部１４の外径は、マットの取付穴に挿入できるように形成され、内径は雄グロメット内筒部７が挿入し易く且つ挿入後、がたつかない程度に形成されている。外筒部１４の内側のフランジ１５に隣接する部分には、雄グロメット１と雌グロメット２を相互に連結するため、係止手段としての弾性係止爪１７が設けられている。係止爪１７の数は任意であるが、実施例では、外筒部１４の内周面に沿って等間隔に３個設けられている。各係止爪１７は、雄グロメット１の内筒部７の溝１０に係止する。各係止爪１７は、内筒部７の挿入は許すが、抜き出し方向には溝１０への係止によって阻止するように、弾性をもって撓む形状に形成されている。実施例では、各係止爪１７の形状は、図８において外筒部１４の下側の断面で示されるように、先端１８が外筒部１４の内側に延び出ており、且つ内筒部７の挿入方向の側にやや傾斜している。各係止爪１７は外筒部１４の中で半径方向外側に撓む弾性が与えられており、内筒部７の挿入によって先端１８は半径方向外側に撓んで、内筒部７の溝１０に弾性的に係合するようになっている。
【００１０】
フランジ１５は、マットの取付穴の周縁の、雄グロメット１のフランジ９と反対側のマット面に当接する一定の大きさの円板に形成されている。フランジ１５の直径は、フランジ９より大径に形成されている。また、フランジ１５の外縁部１９は、雄グロメット１と雌グロメット２を相互に連結した状態で雄グロメットフランジ９の食い込み位置より半径方向外側の位置においてマット５に食い込むように、マット側に向けて曲げて形成されている。この曲げによって、雄グロメットフランジ９と同様に、フランジ１５もドーム形状に湾曲して、たとえポリプロピレン等の弾性係数が低く塑性変形し易い材料であってもフランジ１５の弾性を維持しつつ、その強度を高く維持できる。
【００１１】
更に、フランジ１５の外縁部１９には、マット５側に三角形状に突出するように、外縁部１９の周方向に間隔をおいて、複数（実施例では、１２個）の三角突起２１が形成されている。三角突起２１はマットに食い込むのでマットへの保持力が向上するとともに、三角突起２１の面と三角突起２１の間は面とはマットに当接するので、外縁部１９の接触面積が増大して当接力も増大する。また、フランジ１５には、半径方向に延びるリブ２２が複数個（実施例では周方向に等間隔に３対あって合計６個）形成されており、フランジ１５の強度を高く維持している。フランジ１５には、外縁部１９の三角突起２１とは別に、半径方向の内側の位置でマットに食い込む複数（実施例では突起２１に対応して１２個）のピン２３が形成され、雌グロメット２がマットに対して相対的回転するのを阻止する。
【００１２】
かかる構成で成る雄グロメット１と雌グロメット２とから成るマット用固定具３をマットに取付けた様子が図９に示される。図９において、マット５は、自動車のフロアマットして用いられるものであり、例えば、オレフィン系の毛糸で形成された上部のカーペット層２５と下部のゴム状ベース層２６とから成る。実施例の説明として、雄グロメット１はカーペット層２５の側に、雌グロメット２はベース層２６の側に配置されるものとする。
【００１３】
マット用固定具３をマット５に取付けるには、例えば、雌グロメット２の外筒部１４を、マット５のベース層２６の側から取付穴６に挿入してフランジ１５をベース層に接面した状態で保持する。この状態で、雄グロメット１をもって、内筒部７を外筒部１４に挿入して、外筒部１４の係止爪１７に溝１０の部分を係合させつつ、フランジ９をカーペット層２５に接面させる。そして、雄グロメット１を雌グロメット２の側に強く押込むことによって、フランジ９とフランジ１５の間にマット５が挟まれて、マット用固定具３がマット５に挟着される。外筒部１４の係止爪１７が溝１０の所定のものに係合したまま保持されるので、マット用固定具３はマット５に堅く保持される。この保持状態において、雄グロメットフランジ９の外縁部１１がマット５のカーペット層２５に食い込み、雄グロメットフランジ９より大径の雌グロメットフランジ１５の外縁部１９が、そこに形成された三角突起２１とともに、雄グロメットフランジ９の外縁部１１より外側の位置でベース層２６に食い込む。従って、図９において断面で示すマット形状のように、マット用固定具３は、マットにしっかりと食い込み、高い保持力でマット５に固定される。この食い込みによって、マット自動車のフロアに取付けた後にマットに加わる、マットを左右へずらす力に対してマット用固定具３は確実に対応して、ずれ止め用の取付穴からずれることはない。なお、雄グロメットフランジ９のピン１３及び雌グロメットフランジ１５のピン２３は、それぞれ、マットに食い込んで、内筒部７と外筒部１９の相対的回転を阻止して、連結の外れを防止している。
【００１４】
なお、雄グロメット内筒部７には多数段の溝１０が設けられているので、マット用固定具３は、種々のマット厚さに対応できる。図９は最も厚いマットへの取付け状態を示す。図１０は中間厚さのマットへの取付け状態を、図１１は最も薄いマットへの取付け状態を示す。また、係止手段としての係止爪及び係止用の溝は、雄グロメットと雌グロメットが連結できる限りいずれに設けられていてもよい。また係止手段としては雄グロメットと雌グロメットが連結できる限り他の構成のものを用いてもよい。更に、雄グロメットフランジと雌グロメットフランジとは、マットへの係合位置が異なるのであれば、任意の大きさにできる。また、各フランジのピンは任意であり、いずれか一方にあるだけでもよく、あるいはなくともよい。
【００１５】
【発明の効果】
本発明によれば、雄グロメットフランジと雌グロメットフランジとでマットを挟着した場合、小径のフランジの縁部がマットの一方の面に食い込み、大径のフランジが前記小径フランジの食い込む位置よりも半径方向外側の位置においてマットの他方の面すなわち反対面に食い込むので、その挟着力は強く、マットへの保持力は高い。従って、マット用固定具が、ポリプロピレン等の弾性係数が低く且つ塑性変形し易い樹脂材料で作られていても、マットへの保持力を高く維持することができる。
また、雄グロメットフランジも雌グロメットフランジもマット側に湾曲するドーム形状にでき、これによってマットへの保持力が向上するとともに、各フランジが弾性を維持しつその強度も向上する。雌グロメットフランジの外縁部に、ベース層に突出するように、外縁部の周方向に間隔をおいて突起を形成して、更に保持力を高くすることができる。雌グロメットフランジまたは雄グロメットフランジには、マットに食い込むピンが設けて、外筒部と内筒部との相対的回転を阻止することができる。
【図面の簡単な説明】
【図１】  本発明に係るマット用固定具の雄グロメットの平面図である。
【図２】  図１の雄グロメットの正面図である。
【図３】  図１の雄グロメットの底面図である。
【図４】  図１の雄グロメットのＡ−Ａ線断面図である。
【図５】  本発明に係るマット用固定具の雌グロメットの平面図である。
【図６】  図５の雌グロメットの正面図である。
【図７】  図５の雌グロメットの底面図である。
【図８】  図５の雌グロメットのＢ−Ｂ線断面である。
【図９】  本発明に係るマット用固定具を厚いマットに固定した様子を示す正面断面図である。
【図１０】  本発明に係るマット用固定具を中間厚さのマットに固定した様子を示す正面断面図である。
【図１１】  本発明に係るマット用固定具を薄いマットに固定した様子を示す正面断面図である。
【符号の説明】
１  雄グロメット
２  雌グロメット
３  マット用固定具
５  マット
６  ずれ止め用取付穴
７  内筒部
９  雄グロメットのフランジ
１０  係止用溝
１１  雄グロメットのフランジ外縁部
１３  ピン
１４  外筒部
１５  雌グロメットのフランジ
１７  係止爪
１８  係止爪先端
１９  雌グロメットのフランジ外縁部
２１  三角突起
２２  リブ
２３  ピン
２５  カーペット層
２６  ベース層
【図１】
0004493210.tif 000002
【図２】
0004493210.tif 000003
【図３】
0004493210.tif 000004
【図４】
0004493210.tif 000005
【図５】
0004493210.tif 000006
【図６】
0004493210.tif 000007
【図７】
0004493210.tif 000008
【図８】
0004493210.tif 000009
【図９】
0004493210.tif 000010
【図１０】
0004493210.tif 000011
【図１１】
0004493210.tif 000012